(57)【要約】【課題】簡素な構造で、壁に確実に固定させることができるキャビネットを提供する。【解決手段】背板１０と、天板２０と、底板３０と、左右の側板４０，４０と、背板１０の背面に配設した補強桟１３，１５と、を備えたキャビネット１であって、背板１０と補強桟１３，１５とを連穿した貫通孔１６ａ，１６ｂを有し、貫通孔１６ａ，１６ｂにネジを差し込み、ネジを壁に貫通させて壁の裏側に配設した桟木に螺着させることで、壁に固定する。補強桟として、背板１０の上端部裏側に配設した第一の補強桟１３と、背板１０の下端部裏側に配設した第二の補強桟１５と、を備えている。【選択図】図１
2008048847.tif 000002
【特許請求の範囲】
【請求項１】
背板と、天板と、底板と、左右の側板と、上記背板の背面に配設した補強桟と、を備えたキャビネットであって、
上記背板と上記補強桟とを連穿した貫通孔を有し、
上記貫通孔にネジを差し込み、該ネジを壁に貫通させて該壁の裏側に配設した桟木に螺着させることで、上記壁に固定されることを特徴とする、キャビネット。
【請求項２】
前記補強桟として、前記背板の上端部裏側に配設した第一の補強桟と前記背板の下端部裏側に配設した第二の補強桟とを備えていることを特徴とする、請求項１に記載のキャビネット。
【請求項３】
壁掛型キャビネットであることを特徴とする、請求項１又は２に記載のキャビネット。
【請求項４】
背板と、天板と、底板と、左右の側板と、上記背板の背面に配設した補強桟と、を備えたキャビネットを壁に固定する方法であって、
上記キャビネットが上記背板と上記補強桟とを連穿した貫通孔を有し、
上記貫通孔にネジを差し込み、該ネジを上記壁に貫通させて該壁の裏側に配設した桟木に螺着させることを特徴とする、キャビネット固定方法。
【発明の詳細な説明】
【技術分野】
【０００１】
本発明は、壁に対する固定を確実に行えるキャビネット及びそれを壁に固定する方法に関する。
【背景技術】
【０００２】
台所の壁には、食器や調理器具などの物品を収納するためのキャビネットが固定して取り付けられている。図３は、この種の従来の壁掛型のキャビネット１００を示す断面図である。キャビネット１００は、背板１１０と天板１２０と底板１３０と一対の側板（図示せず）とから前方に開放した箱体として構成され、箱体の前側には扉１４０が取り付けられている。さらに、キャビネット１００は、背板１１０の上端縁部１１２に天板１２０と両側の側板とに固定した上端支持桟１１３と、背板１１０の下端縁部１１４に底板１３０と両側の側板とに固定した下端支持桟１１５と、背板１１０の中間部１１６に両側の側板に固定した中間支持桟１１７と、を備えている。これらの上端支持桟１１３と下端支持桟１１５と中間支持桟１１７とは背板１１０の裏面に密着させて配設されていて、上端支持桟１１３と下端支持桟１１５とは主としてキャビネット１００の変形を防ぐ補強部材として、中間支持桟１１７は主として背板１１０にたわみが生じるのを防ぐ補強部材としての機能を果たしている。
【０００３】
このキャビネット１００を壁に取り付けるときは、先ずキャビネット１００を壁８０の所望の取付位置に合わせる。このとき、壁８０の裏側に設けられている各桟木６０の位置に、上端支持桟１１３、下端支持桟１１５及び中間支持桟１１７の位置が対応するようにキャビネット１００の背面を壁８０の表面に当接させる。次に、キャビネット１００を壁８０に固定する。具体的には、キャビネット１００の上端部を固定する場合は、ネジ７０をキャビネット１００の内側から背板１１０と上端支持桟１１３と壁８０とを貫通させてネジ７０を桟木６０に螺着させる。同様に、キャビネット１００の下端部及び中間部も、ネジ７０をキャビネット背面及び壁８０を貫通させて、即ち、下端支持桟１１５を貫通させたネジ７０を下端支持桟１１５に対応した桟木６０に螺着させて、また、中間支持桟１１７を貫通させたネジ７０を中間支持桟１１７に対応した桟木６０に螺着させて、キャビネット１００の下端部と中間部とを壁８０に固定する。なお、この状態では、キャビネット内の背板１１０の表面に、ネジ７０が露呈しているので、ネジの頭にキャップ１６０を取り付けると良い。
このようにして、キャビネット１００が壁８０に固定される。
【０００４】
この種の壁掛型の台所用キャビネットが特許文献１に開示されている。
【特許文献１】特開平５−２６１０１０号公報
【発明の開示】
【発明が解決しようとする課題】
【０００５】
しかし、桟木６０は壁８０の裏側に配設されていて直接その位置を視認することはできないため、キャビネット固定の際に壁裏側の桟木６０がない位置で壁８０をネジ７０で打ち付けることがあり、この場合には、キャビネット１００の背面から出たネジ７０は壁８０を貫通しているだけであるので、キャビネット１００の壁８０に対する固定が弱くなってしまう。特に、桟木６０が、予め設定された位置からずれて配設されている場合にはネジ７０が桟木６０から外れ易い。
【０００６】
その上、一般的にネジを締める際にはバッテリードライバーなどの電動工具を用いるため、ネジ７０が上端支持桟１１３等を貫通する段階で、工具に所定のねじりトルクがかかる。このため、ネジ７０が上端支持桟１１３等を貫通しただけで、ネジ７０が桟木６０に到達したものと施工者が誤って判断してしまい、ネジ７０が桟木６０から外れていることに気付かない場合があった。
【０００７】
この発明は、上記問題点を解決するために創作されたものであり、簡素な構造で、壁に確実に固定させることができるキャビネットと、その固定方法を提供することを目的とする。
【課題を解決するための手段】
【０００８】
上記一目的を達成するために、本発明のキャビネットは、背板と天板と底板と左右の側板と背板の背面に配設した補強桟とを備えていて、背板と補強桟とを連穿した貫通孔を有することを特徴としている。
本発明のキャビネットは、好ましくは、補強桟として、背板の上端部裏側に配設した第一の補強桟と背板の下端部裏側に配設した第二の補強桟とを備えている。
【０００９】
上記他の目的を達成するために、本発明は、背板と天板と底板と左右の側板と背板の背面に配設した補強桟とを備えたキャビネットを壁に固定する方法であって、キャビネットが背板と補強桟とを連穿した貫通孔を有し、貫通孔にネジを差し込み、ネジを壁に貫通させて壁の裏側に配設した桟木に螺着させることを特徴とする。
【発明の効果】
【００１０】
本発明のキャビネットによれば、キャビネット背面に、背板と補強桟とを連通した貫通孔が予め設けられているので、従来のキャビネット１００のようにネジ自体が背板及び補強桟に孔をあけるときのねじりトルクが生じない。このため、キャビネットを壁に固定する際に、電動工具を用いても、補強桟にネジが貫通するときに生じるねじりトルクによって、ネジが桟木に螺着したと施工者が誤って判断してしまうことが防止される。また、本発明のキャビネットの内側からネジを螺入すると、ネジは、壁と桟木にのみ貫通する。このため、ネジを螺入したときに生じるねじりトルクが変わった段階で、ネジが桟木に到達したと判断することができる。このように、本発明によればキャビネットを壁に簡単にしかも確実に固定することができる。
【発明を実施するための最良の形態】
【００１１】
以下、図面を参照しながら本発明の実施形態を説明する。
図１は本発明の実施形態に係る壁掛型キャビネット（以下、キャビネットと称す）１を示す図であり、（ａ）は背面方向から見た斜視図、（ｂ）はキャビネットの扉を開けて正面左下側の位置からキャビネット内部を見た斜視図である。これらの図に示すように、キャビネット１は、背板１０と天板２０と底板３０と一対の側板４０、４０とから前方に開放した箱体として構成され、箱体の前側に扉５０，５０が蝶番５５で揺動可能に取り付けられている。さらに、キャビネット１は、背板１０の上端縁部１２に天板２０と左右側板４０とに固定した第一の補強桟１３と、背板１０の下端縁部１４に底板３０と左右側板４０とに固定した第二の補強桟１５と、を備えている。これらの第一の補強桟１３と第二の補強桟１５とは、背板１０の裏面に密着して配設されていて、キャビネット１の背板１０の曲がりや、キャビネット自体のねじれなどを防ぐための補強部材として設けられている。
【００１２】
以上のような構成は図３に示す従来のキャビネット１００と同様であるが、本発明の実施形態に係るキャビネット１にあっては、次の構造の点に特徴がある。即ち、キャビネット１の背面には、背板１０の上端縁部１２と第一の補強桟１３とに連穿した第１の貫通孔１６ａが２箇所設けられ、さらに、背板１０の下端縁部１４と第二の補強桟１５とに連穿した第２の貫通孔１６ｂが２箇所設けられている。
【００１３】
次に、以上のように構成したキャビネット１を壁に固定する方法について説明する。ここで、図２はキャビネット１を壁８０に固定する状態を示す側断面図である。
先ず、図に示すように、キャビネット１を壁８０の所望の取付位置に合わせる。このとき、壁８０の裏側に設けられている各桟木６０の位置に、第一の補強桟１３及び第二の補強桟１５の位置が対応するように、キャビネット１の背面を壁８０の表面に当接させる。次に、キャビネット１の内側からネジ７０を貫通孔１６ａ，１６ｂに挿入し、ネジ７０の先端が壁８０に当たるまで貫通孔１６ａ，１６ｂ内に差し込む。そして、例えば、バッテリードライバーなどの電動工具を用いてネジ７０を壁８０に貫通させて、桟木６０に螺着させる。このようにして、全ての貫通孔１６ａ，１６ｂにネジ７０を入れて、これらが桟木６０に螺着することで、キャビネット１が壁８０に固定される。
【００１４】
このように、本発明の実施形態に係るキャビネット１によれば、予めキャビネット背面に、背板１０と第一の補強桟１３とに連通した第１の貫通孔１６ａと、背板１０と第二の補強桟１５とを連通した第２の貫通孔１６ｂとが形成されていることから、キャビネット１を壁８０に固定する際に、ネジ７０で背板１０、第一の補強桟１３又は第二の補強桟１５に孔をあける必要がない。このため、電動工具を用いてキャビネット１の内側からネジ７０を締める場合に、ネジ７０が貫通孔１６ａ，１６ｂを挿通して第一の補強桟１３又は第二の補強桟１５を貫通しても工具自体にねじりトルクが生じない。したがって、本発明によるキャビネット１では、従来のキャビネット１００のようにキャビネット背面をネジ７０が貫通するときに生ずるねじりトルクによってネジ７０が桟木６０に達したと施工者が誤って判断してしまうことが防止される。よって、本発明によるキャビネット１によれば、施工者は確実にネジ７０が桟木６０に螺着したことを確認することができる。
【００１５】
さらに、本発明によるキャビネット１によれば、孔があけられるのは壁８０と桟木６０だけであるため、電動工具を用いてネジを締めたときに、特に、ネジ７０が石膏ボード等からなる壁８０内から桟木６０内に進入した際に、ねじりトルクが大きく変わるため、ネジ７０が桟木６０に到達したことを、施工者は容易に認識することができる。このことから、ネジを締めた際に、施工者が、ネジ７０が壁８０内から桟木６０内に進入したときに生ずるねじりトルクの大きな変化を感知することができなかったときは、キャビネット１をセットした壁８０の裏面に桟木６０が存在しないことが容易に分かり、キャビネット１の壁８０に対する位置を変えてキャビネット１の固定作業をやり直すことで、キャビネット１を正確に壁８０に固定させることができる。
このように、本発明によるキャビネット１によれば、予めネジ用の貫通孔が形成されていることで、キャビネット１を壁８０に確実に固定することが可能になる。
【００１６】
本発明は、その趣旨を逸脱しない範囲で様々な形態で実施することができる。例えば、上述したキャビネット１は、背板１０に、第一の補強桟１３及び第二の補強桟１５が設けられているが、背板１１の中間部裏側に、例えば、背板１０のたわみが生じるのを防ぐために中間補強桟を設けてもよい。中間補強桟の数は特に限定されない。また、中間補強桟を設ける場合、背板１０とそれぞれの中間補強桟とに連穿した貫通孔を設け、この貫通孔を介してネジ７０を壁８０の裏側の桟木６０に螺着させるとよい。
【００１７】
また、上述したキャビネット１は壁掛タイプのものであったが、本発明のキャビネットは壁掛型に限定されるものではなく、床に置くタイプのものであってもよい。床に置くタイプのキャビネットにおいても、キャビネットの背面と補強桟とに連穿した貫通孔を介してネジ７０を壁８０の裏側の桟木６０に螺着させることで、キャビネットを壁８０に固定させることができ、例えば、地震などでキャビネットが倒れることなどを防止することもできる。
【００１８】
上述した貫通孔１６ａ，１６ｂは、背板１０側の貫通孔と第一の補強桟１３側及び第二の補強桟１５側の貫通孔とが連通していればよく、それぞれの貫通孔の大きさは異なっていてもよい。また、キャビネットに設けられる貫通孔１６ａ，１６ｂの数は図示例に限定されるものではなく、例えば、一つの補強桟に対応して３個以上の複数の貫通孔が設けられていても良い。この場合は、壁裏側に配設されている各桟木との位置合わせが容易にできる。
【００１９】
上記キャビネット１には扉５０が揺動可能取り付けられているが、この扉としては、回転式の扉に限らず、引戸式の扉であってもよい。また、本発明におけるキャビネットは、扉を備えずに構成されてもよい。さらに、本発明におけるキャビネットにおいては、その内部に棚が設けられてもよいことは勿論である。
【図面の簡単な説明】
【００２０】
【図１】本発明の実施形態に係るキャビネットを示すもので、（ａ）は背面方向から見た斜視図、（ｂ）はキャビネットの扉を開けて正面左下側の位置からキャビネット内部を見た斜視図である。
【図２】図１のキャビネットを壁に固定する状態を示す断面図である。
【図３】従来のキャビネットを壁に固定した状態を示す断面図である。
【符号の説明】
【００２１】
１  キャビネット
１０  背板
１２  背板上端部
１３  第一の補強桟
１４  背板下端部
１５  第二の補強桟
１６ａ  第１の貫通孔
１６ｂ  第２の貫通孔
２０  天板
３０  底板
４０  側板
５０  扉
５５  蝶番
６０  桟木
７０  ネジ
８０  壁
【図１】
2008048847.tif 000003
【図２】
2008048847.tif 000004
【図３】
2008048847.tif 000005